(57)【要約】【課題】  サスペンションワイヤを備えた対称タイプの対物レンズ駆動装置のアクチュエータにおいて、ダンパ剤を適切な位置に配置することによって、少量で効果的なダンパ効果が得られ、そのためにコスト低減に寄与することが可能な対物レンズ駆動装置を提供すること。【解決手段】  光ピックアップに用いられ、対物レンズ３０を保持する対物レンズホルダ２０と、前記ホルダ２０の両側に夫々一端が第１の固定部に固定して設けられたサスペンションワイヤ１と、前記サスペンションワイヤ１の他端側の２箇所を支持する第２及び第３の固定部１２，１３とを有するダンパベースとを備えた対物レンズ駆動装置１００において、前記第２及び第３の固定部１２，１３間の距離は、前記第１及び第３の固定部間の距離の１／５〜２／５倍とし、前記第２の固定部にダンパ剤３を設けて前記サスペンションワイヤ１を柔軟に支持した。【選択図】      図４
2005182930.tif 000002
【特許請求の範囲】
【請求項１】
対物レンズを保持する対物レンズホルダと、前記対物レンズホルダの両側に夫々一端が第１の固定部に固定して設けられたサスペンションワイヤと、前記対物レンズホルダと第１の方向に離間して設けられ前記サスペンションワイヤの他端側の２箇所を支持する第２及び第３の固定部とを有するダンパベースとを備えた対物レンズ駆動装置において、
前記第２及び第３の固定部間の距離は、前記第１及び第３の固定部間の距離の１／５〜２／５倍とし、前記第２の固定部にダンパ剤を設けて前記サスペンションワイヤを柔軟に支持したことを特徴とする対物レンズ駆動装置。
【請求項２】
請求項１記載の対物レンズ駆動装置において、前記対物レンズホルダと前記ダンパベースとを支持するヨークベースを備え、前記対物レンズホルダは、チルティングコイルと、その周囲に巻きまわされたフォーカシングコイルと、その夫々のコイルの外側両端の両側に夫々設けられたトラッキングコイルとを４箇所に備え、前記ヨークベース上に、前記対物レンズホルダの夫々のコイルを挟み込むように設けられた第１の磁石と、前記両側の夫々一対の第１の磁石の間に夫々配置された一対の第２の磁石とを備えていることを特徴とする対物レンズ駆動装置。
【請求項３】
請求項２に記載の対物レンズ駆動装置において、前記ヨークベースは、前記夫々のコイル内に配置された４個の第１のヨークと、前記第１の磁石の前記第１の方向外側両端に夫々配置された板状の第２のヨークとを備えていることを特徴とする対物レンズ駆動装置。
【請求項４】
請求項２に記載の対物レンズ駆動装置において、前記チルティングコイルの先端には、リードワイヤのＬ字形状に屈曲した一端部が接続され、前記一端部は、前記対物レンズ近傍に設けられた空間内から壁部を貫通して至り、他端は前記ダンパベースの略中央部に設けられた固定溝を貫通して固定された後、後方に突出されていることを特徴とする対物レンズ駆動装置。
【発明の詳細な説明】
【技術分野】
【０００１】
本発明は、光ディスクドライブに用いられる対物レンズ駆動装置に関し、特にその対物レンズホルダの支持構造に関する。
【背景技術】
【０００２】
光ディスクドライブは、光ディスク（ＣＤ，ＣＤ−ＲＯＭ，ＣＤ−Ｒ，ＣＤ−ＲＷ，ＤＶＤ−ＲＯＭ、ＤＶＤ＋Ｒ、ＤＶＤ−Ｒ、ＤＶＤ−ＲＡＭ、ＤＶＤ＋ＲＷ、ＤＶＤ−ＲＷ、等）に記録された情報を読み出したり、あるいは情報を書き込んだりするための装置である。この種の光ディスクドライブは、光ディスクからの情報の読み出し、あるいは光ディスクへの情報の書き込みを実現するため、光ディスクに対してレーザ光を照射し、またその反射光を検出するための光ピックアップを備えている。
【０００３】
一般に、光ピックアップは、レーザビームを出射するレーザ光源と、この出射されたレーザビームを光ディスクへ導くとともに、その反射光を光検出器へ導く光学系とを備えている。そして、この光学系には、光ディスクに対向するように配置される対物レンズが含まれている。
【０００４】
光ピックアップに用いられる対物レンズは、回転駆動される光ディスクの記録面（トラック）に正確にレーザ光を集光するように、光軸に沿ったフォーカス方向及び光ディスクの半径方向に沿ったトラック方向に関して精度良く位置制御される必要がある。また、最近は、記録密度の向上に伴い、光ディスクの反りによる影響を除去又は抑制する必要性が高まっており、対物レンズは、チルティング制御される必要もある。
【０００５】
従来の対物レンズ駆動装置は、フォーカシング制御、トラッキング制御及びチルティング制御を可能にするため、対物レンズを保持する対物レンズホルダを、複数のサスペンションワイヤによって弾性支持している。
【０００６】
また、対物レンズホルダに、フォーカシングコイル、トラッキングコイル及びチルティングコイルを巻回しあるいは取り付け、これらのコイルを磁気回路のギャップ内に部分的に位置させている。このような構成において、各コイルに流れる電流を制御することで、従来の対物レンズ駆動装置は、対物レンズの位置及び傾きを微調整することができる（例えば、特許文献１、参照。）。
【０００７】
図１１は特許文献２に開示された対物レンズ駆動装置の斜視図である。また、図１２は、図１１の対物レンズ駆動装置の金属製トップカバー５７を取り外した状態を示す斜視図である。
【０００８】
図１１及び図１２に示すように、対物レンズ駆動装置は、ベース５１と、対物レンズ５２と、対物レンズホルダ５３と、ベース５１に対して対物レンズホルダ５３を揺動可能に支持する４本（２本のみ図示）のサスペンションワイヤ５４と、ベース５１に固定された一対のヨーク５５及び各ヨーク５５に固定された磁石５６とを有している。
【０００９】
この対物レンズ駆動装置は、図示しない光ディスクドライバの光学ベースに搭載され、光ピックアップを構成する。光学ベースは、光ディスク装置に導入された光ディスクの半径方向（トラッキング方向Ｔｒ）に沿って移動可能にガイドバーに取り付けられている。また、光学ベースには、レーザダイオード、光検出器、及び所定の光学系が取り付けられており、レーザダイオードからのレーザ光が対物レンズ５２を通して光ディスクに照射され、その反射光が光検出器に導かれるように構成されている。
【００１０】
対物レンズホルダ５３には、後述するように、チルティングコイル、フォーカシングコイル及びトラッキングコイルが巻き回されており、これらのコイルに流す電流を適切に制御することにより、対物レンズホルダ５３は、ヨーク５５及び磁石５６が作り出す磁界との関係に基づき、トラッキング方向（Ｔｒ）に傾動し（タンジェンシャル方向Ｔｇに平行な軸を回転軸として回動し）、またトラッキング方向（Ｔｒ）に沿って移動し、あるいはフォーカシング方向（Ｆ）に沿って移動する。
【００１１】
対物レンズホルダ５３は、図１３に示すような上側部材６０と、図１４に示すような下側部材６５とを備えている。
【００１２】
図１３に示すように、上側部材６０は、概略正方形の板状（下側部材６５に対向する面が略四角形）であり、その中央部には、対物レンズを取り付けるための貫通孔６１が形成されている。また、上側部材６０の四隅近傍には、ヨーク５５の一部を挿入するための４つの方形穴６２が対称的な位置に形成されている。なお、ヨーク５５は、断面Ｕ字形状であり、対向する一面が２つの垂直方向の棒片からなる。
【００１３】
上側部材６０には、また、トラッキング方向（Ｔｒ）両側にサスペンションワイヤ５４を固定するための固定部６３が形成されている。さらに、上側部材６０のタンジェンシャル方向（Ｔｇ）両側には、その端部近傍に、トラッキングコイルを巻回すための４個の第１のフック部６４が、タンジェンシャル方向に沿って突出するように形成されている。
【００１４】
一方、下側部材６５は、図１４に示すように、概略正方形状（上側部材６０に対向する面が略四角形）の板状部６６と、この板状部６６の一面から垂直方向に突き出したチルティングコイル巻枠部６７とを有している。板状部６６のサイズは、少なくともタンジェンシャル方向（Ｔｇ）に関して上側部材６０と同一である。
【００１５】
板状部６６の中央には、レーザ光を通過させるための貫通孔６９が形成されている。また、板状部６６の四隅近傍には、ヨーク５５の一部を挿入するための４つの方形穴が形成されている。チルティングコイル巻枠部６７は、この方形穴を不完全に取り囲むように形成されている。
【００１６】
さらに、下側部材６５には、そのタンジェンシャル方向（Ｔｇ）両側には、その端部近傍に、トラッキングコイルを巻回すための４個の第２のフック部６８が、タンジェンシャル方向に沿って突出するように形成されている。
【００１７】
上述した上側部材６０及び下側部材６５は、互いに組み合わされて対物レンズホルダ５３を構成するが、これらを組み合わせる前に、チルティングコイル７０及びフォーカシングコイル７１が、この順番でチルティングコイル巻枠部６７に巻回される。
【００１８】
図１５に示すように、チルティングコイル７０は、４個のチルティングコイル巻枠部６７の夫々に順番に巻回される。この後、これらチルティングコイル７０が巻回された４個のチルティングコイル巻枠部６７を単一の巻芯として、フォーカシングコイル７１が巻回される。
【００１９】
こうして、下側部材６５にチルティングコイル７０及びフォーカシングコイル７１が巻回された後、上側部材６０が下側部材６５に固定される。
【００２０】
組み合わせた状態で、この対物レンズホルダ５３全体をフォーカシングコイル巻枠部とみなすと、上側部材６０及び下側部材６５の板状部６６がフランジに相当する。４個のチルティングコイル巻枠部６７が、その巻芯に相当することは上述した通りである。
【００２１】
また、上側部材６０に形成された貫通孔６１の中心軸と、下側部材６５に形成された貫通孔６７の中心軸とは互いに一致する。また、上側部材６０に形成された４個の第１のフック部６４と、下側部材６５に形成された４個の第２のフック部６８とは、互いに対向しそれぞれ対を成す。第１のフック部６４及び第２のフック部６８の対は、それぞれトラッキングコイルを巻回すための４個のトラッキングコイル巻枠部を構成する。
【００２２】
この後、図１５に示すように、４個のトラッキングコイル巻枠部にトラッキングコイル７２が巻き回され、図１６に示すように対物レンズ５２が取り付けられる。
【００２３】
図１６に、コイル７０，７１及び７２が巻き回され、サスペンションワイヤ５４が取り付けられた対物レンズホルダ５３に、ヨーク５５及び磁石５６を組み合わせた状態を示す。なお、磁石５６は、２極着磁マグネットである。
【００２４】
チルティングコイル７０、フォーカシングコイル７１及びトラッキングコイル７２の端部は、接続端子８１、８２、８３に接続される。ここで、フォーカシングコイル７１及びトラッキングコイル７２の端部が接続される接続端子８１、８２には、さらに、図１６に示すように、上側部材６０に形成された固定部６３にこの固定部６３を貫通した状態で固定されるサスペンションワイヤ５４の一端が夫々接続される。一方、チルティングコイル７０が接続される接続端子には、図１６に示すように、引き出し線８４が接続される。
【００２５】
図１６に示されるように引き出し線８４は固定部６３を貫通して固定された後、下方に折り曲げられて対物レンズホルダ５３の下側部材６５に設けられたチルティングコイル７０用の接続端子８３と接続される。
【００２６】
図１６から容易に理解できるように、ヨーク５５と磁石５６との組み合わせが作り出す磁気回路の磁気ギャップ内に、チルティングコイル７０、フォーカシングコイル７１、及びトラッキングコイル７２の各々の一部が配置されている。これにより、各コイルに流れる電流に応じて、対物レンズホルダ５３は、移動し、また傾動する。即ち、各コイルに流れる電流を制御することにより、チルティング制御、フォーカシング制御及びトラッキング制御を行うことができる。
【００２７】
通常、アクチュエータは、ダンパ剤をサスペンションワイヤの基部に充填しており、この方法では、多量のダンパ剤を用いなければ、適度なダンパ効果が得られなかった。
【００２８】
【特許文献１】特開２００１−９３１７７号公報
【特許文献２】特願２００３−１１１９５３号
【発明の開示】
【発明が解決しようとする課題】
【００２９】
そこで、本発明の一技術的課題は、サスペンションワイヤを備えた対称タイプの対物レンズ駆動装置のアクチュエータにおいて、ダンパ剤を適切な位置に配置することによって、少量で効果的なダンパ効果が得られ、そのためにコスト低減に寄与することが可能な対物レンズ駆動装置を提供することにある。
【課題を解決するための手段】
【００３０】
本発明によれば、対物レンズを保持する対物レンズホルダ（２０）と、前記対物レンズホルダ（２０）の両側に夫々一端が第１の固定部（１１）に固定して設けられたサスペンションワイヤ（１）と、前記対物レンズホルダ（２０）とは第１の方向に離間して設けられ前記サスペンションワイヤ（１）の他端側の２箇所を支持する第２及び第３の固定部（１２，１３）とを有するダンパベース（１０）とを備えた対物レンズ駆動装置において、前記第２及び第３の固定部（１２，１３）間の距離は、前記第１及び第３の固定部（１１，１３）間の距離の１／５〜２／５倍とし、前記第２の固定部（１２）にダンパ剤を設けて前記サスペンションワイヤ（１）を柔軟に支持したことを特徴とする対物レンズ駆動装置（１００）が得られる。
【００３１】
また、本発明によれば、前記対物レンズ駆動装置（１００）において、前記対物レンズホルダ（２０）と前記ダンパベース（１０）とを支持するヨークベース（２３）を備え、前記対物レンズホルダ（１０）は、チルティングコイル（１６）と、その周囲に巻きまわされたフォーカシングコイル（１７）と、その夫々のコイルの外側両端の両側に夫々設けられたトラッキングコイル（１４）とを４箇所に備え、前記ヨークベース（２３）上に、前記対物レンズホルダ（１０）の夫々のコイルを挟み込むように設けられた第１の磁石（２２）と、前記両側の夫々一対の第１の磁石（２２）の間に夫々配置された一対の第２の磁石（２１）とを備えていることを特徴とする対物レンズ駆動装置（１００）が得られる。
【００３２】
また、本発明によれば、前記対物レンズ駆動装置（１００）において、前記ヨークベース（２３）は、前記夫々のコイル内に配置された４個の第１のヨーク（２５）と、前記第１の磁石（２２）の前記第１の方向外側両端に夫々配置された板状のヨーク（２３ａ，２３ｂ）とを備えていることを特徴とする対物レンズ駆動装置（１００）が得られる。
【００３３】
また、本発明によれば、前記対物レンズ駆動装置（１００）において、前記チルティングコイル（１６）の先端には、リードワイヤ（２）のＬ字形状に屈曲した一端部（２ａ）が接続され、前記一端部（１ａ）は、前記対物レンズ（２０）近傍に設けられた空間内から壁部を貫通して至り、他端は前記ダンパベース（１０）の略中央部に設けられた固定溝（８ａ，８ｂ）を貫通して固定された後、後方に突出されていることを特徴とする対物レンズ駆動装置（１００）が得られる。
【００３４】
なお、上記括弧内の参照符号は、単に本発明の理解を容易にするために付したものであって、何ら本発明を限定するものではない。
【発明の効果】
【００３５】
本発明によれば、サスペンションワイヤを備えた対称タイプの対物レンズ駆動装置のアクチュエータにおいて、ダンパ剤を適切な位置に配置することによって、不要共振やゲインの訛りを抑えて少量で効果的なダンパ効果が得られ、そのためにコスト低減に寄与することが可能な対物レンズ駆動装置を提供することができる。
【発明を実施するための最良の形態】
【００３６】
以下、本発明の実施の形態について図面を参照しながら説明する。
【００３７】
図１は本発明の実施の形態による対物レンズ駆動装置の斜視図、図２は図１の対物レンズ駆動装置の正面図、図３は図１の対物レンズ駆動装置の背面図であり、上下関係は図２とは逆になっている。また、図４は図１の対物レンズ駆動装置の上面図、図５は図１の対物レンズ駆動装置の右側面図、図６は図１の対物レンズ駆動装置の左側面図、図７は図１の対物レンズ駆動装置の底面図である。
【００３８】
図１乃至図７に示すように、対物レンズ駆動装置１００は、ダンパベース１０と、対物レンズ３０と、対物レンズホルダ２０と、ダンパベース１０に対して対物レンズホルダ２０を揺動可能に支持する４本のサスペンションワイヤ１，１，１，１及び２本のリードワイヤ２，２と、ダンパベース１０及び対物レンズホルダ２０を搭載したヨークベース２３とヨークベース２３に固定された磁石２１，２２とを有している。
【００３９】
この対物レンズ駆動装置１００は、図示しない光ディスクドライバの光学ベースに搭載され、光ピックアップを構成する。光学ベースは、光ディスク装置に導入された光ディスクの半径方向（トラッキング方向（以下、Ｔｒ方向と呼ぶ））に沿って移動可能にガイドバーに取り付けられている。また、光学ベースには、レーザダイオード、光検出器、及び所定の光学系が取り付けられており、レーザダイオードからのレーザ光が対物レンズ３０を通して光ディスクに照射され、その反射光が光検出器に導かれるように構成されている。
【００４０】
ダンパベース１０の第１の方向であるタンジェンシャル方向（以下、Ｔｇ方向と呼ぶ）両側には、固定部１２，１３が夫々形成されている。また、ダンパベース１０のＴｇ方向中央寄りには、中心を挟んで両側に固定部５が形成され、それぞれ固定部１２，５から、固定溝９が互いに開くように、Ｓ字形状に曲がって形成され、さらに、Ｔｇ方向に伸びて外側まで貫通している。夫々の固定部には、サスペンションワイヤが支持固定される。
【００４１】
対物レンズホルダ２０には、チルティングコイル１６及びその周囲に巻回されたフォーカシングコイル１７を有する中空状のコイル部材１８と、トラッキングコイル１４とを備えており、これらのチルティングコイル１６、フォーカシングコイル１７及びトラッキングコイル１４に流す電流を適切に制御することにより、対物レンズホルダ２０は、ヨーク２３ａ，２３ｂ，２５及び磁石２１，２２が作り出す磁界との関係に基づき、第１の方向に垂直な第２の方向であるＴｒ方向に傾動し（Ｔｇ方向に平行な軸を回転軸として回動し）、またＴｒ方向に沿って移動し、あるいは第１及び第２の方向に垂直な第３の方向であるフォーカシング方向（以下、Ｆ方向と呼ぶ）に沿って移動する。
【００４２】
図７に最も良く示されるように、ヨークベース２３は、Ｔｇ方向の中央部の２箇所の両側に設けられた４つの板状のヨーク（以下、第１のヨークと呼ぶ）２５，２５，２５，２５とＴｇ方向一端に起立して設けられた板状のヨーク（以下、第２のヨークと呼ぶ）２３ｂ，２３ｂの先端部を接続した台形状のヨークと、他端寄りに設けられ幅方向に両側に設けられた２個ヨーク２３ａ，２３ａ（以下、同様に第２のヨークと呼ぶ）とを備えている。
【００４３】
さらに、ヨークベース２３には、第２のヨーク２３ａ，２３ｂ夫々に接触するとともに長さ方向に同じ側の第１の磁石２２は同じ極性、Ｔｒ方向（幅方向）に隣合う第１の磁石２２は、互いに相反する極性を有するように、第１の磁石２２，２２が設けられている。また、中央両側にも、長さ方向に互いに反する極性を有するように、第２の磁石２１，２１が設けられている。
【００４４】
対物レンズホルダ２０は、四角の厚い板形状を備え、中央に対物レンズ３０を装着するための上面側に装着部３１を備えた装着孔３２と四隅に対称的にコイル部材１８を装着するためのコイル装着孔２８と、両側に永久磁石２１，２１が貫通する孔２９を備えている。コイル部材１８はヨークベース２３に設けられた板状の第１のヨーク２５，２５，２５，２５が夫々貫通する。
【００４５】
対物レンズホルダ２０には、チルティングコイル１６及びフォーカシングコイル１７が、この順番で図示しない巻枠または巻き取り用部材の周りに巻回されて、巻枠の周囲に巻回された状態、もしくは、巻き取り用部材を抜き取られた中空状のコイル部材１６を構成する。このように、チルティングコイル１６は、図示しない４個のチルティングコイル巻枠部の夫々に順番に巻回される。この後、これらチルティングコイル１６が巻回された４個のチルティングコイルの周囲に、フォーカシングコイル７が巻回されて、巻枠に巻回された状態もしくは、巻枠が外された筒状の状態の４個のコイル部材１６が形成され、４つのコイル装着孔２８に夫々挿入される。
【００４６】
対物レンズホルダ２０には、更に，Ｔｒ方向両端に上下に（Ｆ方向に）並んで、リードワイヤ５４を固定するための第１の固定部として接続端子１１が形成されている。さらに、レンズホルダ２０のＴｇ方向両側には、その端部近傍に、トラッキングコイル１４を巻回すための２対の図示しない第１のフック部及び第２のフック部が、タンジェンシャル方向に沿って突出するとともに、上下方向に夫々並んで合計４対設けられている。この第１のフック部及び第２のフック部の各上下の対の周囲にトラッキングコイル１４が巻回され、合計４個のトラッキングコイルが形成される。
【００４７】
この後、対物レンズ装着部３１に対物レンズ３０が取り付けられる。
【００４８】
フォーカシングコイル１７及びトラッキングコイル１４の端部は、対物レンズホルダ２０のＴｇ方向の両側の上下に設けられた第１の固定部である４個の接続端子１１，１１，１１，１１に接続される。ここで、フォーカシングコイル１７及びトラッキングコイル１４の端部が接続される接続端子１１，１１には、さらに、他端側からダンパベース１０の第２及び第３の固定部１２，１３を通り抜けて対物レンズホルダ２０に形成された固定部である接続端子１１にこの接続端子１１を貫通した状態で固定されるサスペンションワイヤ１の一端が夫々接続される。
【００４９】
一方、チルティングコイル１６の先端１６ａには、途中に傾斜面を備えたリードワイヤ２のＬ字状に屈曲した一端部２ａの先端部が接続される。
【００５０】
リードワイヤ２は、一端部２ａは、Ｌ字形状の上方に折曲げられ、その先端が対物レンズホルダ２０の空間３５内に、壁部５を貫通して至り、この空間３５内に形成された固定部３６を介して引き出され、他端は、ダンパベース１０の固定部５及びＳ字状に屈曲した固定溝７を貫通して固定された後、溝８ａ，８ｂを備えたタンパベース１０の固定孔８を介して後方に突出ている。
【００５１】
一方、チルティングコイル１６の先端部１６ａは図示しない溝を介して空間内に至っている。リードワイヤ２の先端２ａとコイル１６の先端部１６ａは半田付けされて固定される。このリードワイヤ２はコイル線もしくは捻り線（リッツ線）を用いている。
【００５２】
尚、固定部５，１２のサスペンションワイヤ１又はリードワイヤ２を収容する部位には、夫々ダンパ部材４，３が充填される。トラッキングコイル１４，チルティングコイル１６，フォーカシングコイル１７と、第１及び第２の磁石２２，２１と、第１及び第２のヨーク２５，２３ａとの配置及び作用は次の通りである。
【００５３】
図１乃至図７から容易に理解できるように、タンジェンシャル方向に第１及び第２のヨーク２３ａ，２３ｂ，２５と第１及び第２の磁石２１、２２との組み合わせが作り出す磁気回路の磁気ギャップ内に、チルティングコイル１６、フォーカシングコイル１７、及びトラッキングコイル１４の各々の一部が配置されている。第１の磁石２２は、フォーカシングコイル１７及びトラッキングコイル１４に駆動力を与えるマグネットである。また、第２の磁石２１は、フォーカシングコイル１７とチルトコイル１６の駆動力を補うマグネットである。
【００５４】
即ち、フォーカシングコイル１７に関しては、Ｔｇ方向の左右両側のコイルともに、上下方向の同じ方向に駆動力を受ける。また、トラッキングコイル１４も同様に、Ｔｇ方向の左右両側のコイルともに、Ｔｒ方向の同じ方向に駆動力を受ける。そして、チルティングコイル１６は、Ｔｇ方向の左右一対のコイルがともに、右と左では、互いに反対方向になるように力を受ける。そのときに、第２の磁石２１によって、磁力線の方向をヨークのトラック方向外側及び内側に向かうよう屈曲させるので、Ｔｒ方向外側及び内側のコイルにも同じ方向の駆動力が加わるために、電磁力を増大させ、リードワイヤ１をＴｒ方向の内側で支持するために、チルト方向の加速度感度を高めることができる。同様に，第２の磁石２１の配置によって、フォーカスコイル１７についても加速度感度を高めることができる。
【００５５】
次に、ダンパ剤塗布位置におけるサスペンションワイヤの不要共振防止作用について説明する。
【００５６】
図８、図９、及び図１０は図４のダンパ剤塗布位置１／１０，１／２，１／３における周波数と利得及び位相との関係を夫々示す図である。
【００５７】
図４に示すように、対物レンズホルダ側の固定端位置Ａ（接続端子１１）の位置と、ダンパベース１０の第３の固定部１３のサスペンションワイヤ１に関して最も内側の位置Ｃ（ダンパベース側の固定端部位置）との間の長さをＸとしたときの、第２の固定部１２のダンパ剤３の最も内側の位置を基準として、周波数特性を夫々調べた。
【００５８】
図８に示すように、ダンパ剤塗布位置が、サスペンションワイヤの固定端間距離Ｘに対してＸ／１０の位置のときには、利得に関しては、２００ＭＨｚ付近にＡで示される不要共振が発生し、位相に関しては、同じ２００ＭＨｚ付近にＢで示される不要共振による位相の乱れが発生している。したがって、ダンパ効果がないことが分かる。
【００５９】
図９に示すように、ダンパ剤塗布位置が、サスペンションワイヤの固定端間距離Ｘに対してＸ／２の位置のときには、ダンパ効果が強くでていることが分かる。
【００６０】
具体的に、利得に関しては、２００ＭＨｚ付近で発生していた不要共振効果は、ダンパ効果によって発生していないが、Ｃで示されるゲイン訛りが発生し、位相に関しては、同じ６０ＭＨｚ付近にＤで示されるゲイン訛りによる位相遅れに極めて影響が大きく、サーボ制御が困難であることがわかる。
【００６１】
図１０に示すように、ダンパ剤塗布位置が、サスペンションワイヤの固定端間距離Ｘに対してＸ／３の位置のときには、利得に関しても、２００ＭＨｚ近傍に発生していた不要共振は、適度に現れたダンパ効果の影響で発生せず、さらに、周波数に対するゲイン訛りは発生せず、位相乱れや位相遅れなどの位相への影響が全くなく、サーボ制御が可能となる特性を示すものになる。
【００６２】
よって、ダンパ剤塗布位置がダンパベース側ワイヤの固定位置から、ワイヤ長さの１／５から２／５離れた位置に配置することで、高価なダンパ剤を少量塗布することによって、最良の効果を得ることが可能となることが分かる。なお、ダンパ剤塗布位置に１／５から２／５と範囲があるのは、ダンパ剤の種類による粘度差によって、ダンパ効果に差がでるためである。
【００６３】
以上説明したように、本発明の実施の形態においては、サスペンションワイヤの塗布位置を１／５から２／５の長さにすることによって、不要共振やゲイン訛りを防止することができ、このためにサーボ制御が容易で且つ安価な対物レンズ駆動装置を提供することができる。
【００６４】
また、本発明の実施の形態においては、光デスクドライブ、例えば、ＣＤ−ＲＯＭ，ＣＤ±ＲＷ，ＤＶＤ−ＲＯＭ，ＤＶＤ±Ｒ／ＲＷ，ＤＶＤ−ＲＡＭ、Ｂｌｕ−ｒａｙ，ＡＯＤなどの光ピックアップ装置の対物レンズ駆動装置に限定されるものではない。
【００６５】
また、本発明の実施の形態によれば、ハーフハイト・スリム・ウルトラスリム型に限らず、全てのドライブに搭載される対称型（Ｓｙｍｍｅｔｒｙ）、非対称型（Ａｓｙｍｍｅｔｒｙ）の対物レンズ駆動装置に適用可能である。
【産業上の利用可能性】
【００６６】
本発明に係る対物レンズ駆動装置は、光ディスクドライブの光ピックアップに適用することができる。
【図面の簡単な説明】
【００６７】
【図１】本発明の実施の形態による対物レンズ駆動装置の斜視図である。
【図２】図１の対物レンズ駆動装置の正面図である。
【図３】図１の対物レンズ駆動装置の背面図であり、上下関係は図２とは逆になっている。
【図４】図１の対物レンズ駆動装置の上面図である。
【図５】図１の対物レンズ駆動装置の右側面図である。
【図６】図１の対物レンズ駆動装置の左側面図である。
【図７】図１の対物レンズ駆動装置の底面図である。
【図８】図４のダンパ剤塗布位置１／１０における周波数と利得及び位相との関係を示す図である。
【図９】図４のダンパ剤塗布位置１／２における周波数と利得及び位相との関係を示す図である。
【図１０】図４のダンパ剤塗布位置１／３における周波数と利得及び位相との関係を示す図である。
【図１１】従来技術による対物レンズ駆動装置の斜視図である。
【図１２】図１１の対物レンズ駆動装置のトップカバーを外した状態を示す斜視図である。
【図１３】図１２の対物レンズ駆動装置に用いられる対物レンズホルダの上側部材を示す斜視図である。
【図１４】図１２の対物レンズ駆動装置に用いられる対物レンズホルダの下側部材の斜視図である。
【図１５】図１３の上側部材と図１４の下側部材とを組み合わせて、トラッキングコイルを設けた状態を示す斜視図である。
【図１６】図１５に示す状態の対物レンズホルダに対物レンズを装着し、設け、ヨーク及び磁石からなる磁気回路を組み合わせた状態を示す斜視図である。
【符号の説明】
【００６８】
１    サスペンションワイヤ
２    リードワイヤ
２ａ    一端部
３，４    ダンパ部材
５    固定部
７    固定溝
８ａ，８ｂ    溝
１０    ダンパベース
１１    接続端子（第１の固定部）
１２    第２の固定部
１３    第３の固定部
１４    トラッキングコイル
１６    チルティングコイル
１６ａ    先端
１７    フォーカシングコイル
１８    コイル部材
２０    対物レンズホルダ
２１    第２の磁石
２２    第１の磁石
２３    ヨークベース
２３ａ，２３ｂ    第１のヨーク
２５    第２のヨーク
２８    コイル装着孔
２９    孔
３０    対物レンズ
３１    対物レンズ装着部
３２    装着孔
３５    空間
３６    固定部
５１    ベース
５２    対物レンズ
５３    対物レンズホルダ
５４    サスペンションワイヤ
５５    ヨーク
５６    磁石
５７    金属製トップカバー
６０    上側部材
６３    固定部
６４    第１のフック部
６５    下側部材
６６    板状部
６７    チルティングコイル巻枠部
６８    第２のフック部
６９    貫通孔
７０    チルティングコイル
７１    フォーカシングコイル
７２    トラッキングコイル
８１，８２，８３    接続端子
１００    対物レンズ駆動装置
【図１】
2005182930.tif 000003
【図２】
2005182930.tif 000004
【図３】
2005182930.tif 000005
【図４】
2005182930.tif 000006
【図５】
2005182930.tif 000007
【図６】
2005182930.tif 000008
【図７】
2005182930.tif 000009
【図８】
2005182930.tif 000010
【図９】
2005182930.tif 000011
【図１０】
2005182930.tif 000012
【図１１】
2005182930.tif 000013
【図１２】
2005182930.tif 000014
【図１３】
2005182930.tif 000015
【図１４】
2005182930.tif 000016
【図１５】
2005182930.tif 000017
【図１６】
2005182930.tif 000018